(57)【要約】      （修正有）【課題】極めて商品価値の高い実用的な見開き構造体を提供する。【解決手段】対向する第一板状体１及び第二板状体２の内側縁部１ａ，２ａ同士が連設されて第一板状体及び第二板状体同士が折り畳み重合可能及び展開可能に構成された見開き構造体であって、第一板状体及び第二板状体同士を折り畳み重合状態から展開した際に第一板状体及び第二板状体の重合内面部１ｂ，２ｂ同士間で起立状態となる立体３が設けられたものであり、立体の背面側部位に透明な架設部材４が設けられることにより、鈍角の展開状態を保持する。【選択図】図１
0003203286.tif 000002
【実用新案登録請求の範囲】
【請求項１】
対向する第一板状体及び第二板状体２の内側縁部同士が連設されて該第一板状体及び該第二板状体同士が折り畳み重合可能及び展開可能に構成された見開き構造体であって、前記第一板状体及び前記第二板状体同士を折り畳み重合状態から展開した際に該第一板状体及び該第二板状体の重合内面部同士間で起立状態となる立体が設けられており、前記第一板状体及び前記第二板状体同士を展開した際に起立状態となる前記立体の背面側部位に、前記第一板状体及び第二板状体同士間に架設状態となる架設部材が設けられ、この架設部材により前記第一板状体及び前記第二板状体同士は両者のなす角が鈍角の展開状態で保持されるように構成されていることを特徴とする見開き構造体。
【請求項２】
請求項１記載の見開き構造体において、前記架設部材は透明な合成樹脂製であることを特徴とする見開き構造体。
【請求項３】
請求項１，２いずれか１項に記載の見開き構造体において、前記架設部材は可撓性を有する部材であり、一端部が前記第一板状体に設けられ、他端部が前記第二板状体に設けられていることを特徴とする見開き構造体。
【請求項４】
請求項１〜３いずれか１項に記載の見開き構造体において、前記第一板状体及び前記第二板状体同士は約１０５度〜約１１５度の展開状態で保持されるように構成されていることを特徴とする見開き構造体。
【請求項５】
請求項１〜４いずれか１項に記載の見開き構造体において、前記第一板状体及び前記第二板状体夫々の重合内面部には薄片が重合され、前記立体は前記薄片を切り抜いて設けられたものであり、前記第一板状体及び第二板状体の折り畳み重合にともなって前記立体は前記重合内面部に添設する倒伏状態となり、展開にともなって前記立体が前記重合内面部から離脱して起立状態となるように構成されていることを特徴とする見開き構造体。
【請求項６】
請求項１〜５いずれか１項に記載の見開き構造体において、前記第一板状体及び前記第二板状体は紙製の方形片であることを特徴とする見開き構造体。
【考案の詳細な説明】
【技術分野】
【０００１】
本考案は、見開き構造体に関するものである。
【背景技術】
【０００２】
従来から、例えば特開平８−１０４０８３に開示されるような対向する板状体同士を開いた際に立体が起立状態となる見開き構造体（以下、従来例）が提案されている。
【０００３】
具体的には、この従来例は、対向する板状体夫々の内側縁同士を連設し、この板状体同士が折り畳み重合可能及び展開可能に構成されたものであり、この板状体同士の間には立体が設けられ、この立体は、板状体同士を折り畳み重合した際には倒伏状態となり、且つ、板状体同士を展開した際には起立状態となる。
【先行技術文献】
【特許文献】
【０００４】
【特許文献１】特開平８−１０４０８３号公報
【考案の概要】
【考案が解決しようとする課題】
【０００５】
本考案者は、前述したような板状体同士を展開した際、立体が起立状態となる見開き構造体について更なる研究・開発を進め、その結果、極めて商品価値の高い実用的な見開き構造体を考案した。
【課題を解決するための手段】
【０００６】
添付図面を参照して本考案の要旨を説明する。
【０００７】
対向する第一板状体１及び第二板状体２の内側縁部１ａ，２ａ同士が連設されて該第一板状体１及び該第二板状体２同士が折り畳み重合可能及び展開可能に構成された見開き構造体であって、前記第一板状体１及び前記第二板状体２同士を折り畳み重合状態から展開した際に該第一板状体１及び該第二板状体２の重合内面部１ｂ，２ｂ同士間で起立状態となる立体３が設けられており、前記第一板状体１及び前記第二板状体２同士を展開した際に起立状態となる前記立体３の背面側部位に、前記第一板状体１及び第二板状体２同士間に架設状態となる架設部材４が設けられ、この架設部材４により前記第一板状体１及び前記第二板状体２同士は両者のなす角が鈍角の展開状態で保持されるように構成されていることを特徴とする見開き構造体に係るものである。
【０００８】
また、請求項１記載の見開き構造体において、前記架設部材４は透明な合成樹脂製であることを特徴とする見開き構造体に係るものである。
【０００９】
また、請求項１，２いずれか１項に記載の見開き構造体において、前記架設部材４は可撓性を有する部材であり、一端部が前記第一板状体１に設けられ、他端部が前記第二板状体２に設けられていることを特徴とする見開き構造体に係るものである。
【００１０】
また、請求項１〜３いずれか１項に記載の見開き構造体において、前記第一板状体１及び前記第二板状体２同士は約１０５度〜約１１５度の展開状態で保持されるように構成されていることを特徴とする見開き構造体に係るものである。
【００１１】
また、請求項１〜４いずれか１項に記載の見開き構造体において、前記第一板状体１及び前記第二板状体２夫々の重合内面部１ｂ，２ｂには薄片７が重合され、前記立体３は前記薄片７を切り抜いて設けられたものであり、前記第一板状体１及び第二板状体２の折り畳み重合にともなって前記立体３は前記重合内面部１ｂ，２ｂに添設する倒伏状態となり、展開にともなって前記立体３が前記重合内面部１ｂ，２ｂから離脱して起立状態となるように構成されていることを特徴とする見開き構造体に係るものである。
【００１２】
また、請求項１〜５いずれか１項に記載の見開き構造体において、前記第一板状体１及び前記第二板状体２は紙製の方形片であることを特徴とする見開き構造体に係るものである。
【考案の効果】
【００１３】
本考案は上述のように構成したから、非常に体裁の良い使用形態が簡易に得られるなど、この種の製品の商品価値を向上することができるなど、極めて商品価値の高い実用的な見開き構造体となる。
【図面の簡単な説明】
【００１４】
【図１】本実施例の展開状態を示す斜視図である。
【図２】本実施例の折り畳み重合状態を示す斜視図である。
【図３】本実施例を示す分解斜視図である。
【図４】本実施例を示す正面図である。
【図５】本実施例の動作説明図である。
【考案を実施するための形態】
【００１５】
好適と考える本考案の実施形態を、図面に基づいて本考案の作用を示して簡単に説明する。
【００１６】
第一板状体１及び第二板状体２同士を折り畳み重合状態から展開した際、該第一板状体１及び該第二板状体２の重合内面部同士間で立体３が起立状態となり、この第一板状体１及び第二板状体２同士は、該第一板状体１及び該第二板状体２同士間に架設状態となる架設部材４により両者のなす角が鈍角の展開状態で保持される。
【００１７】
従って、例えば、第二板状体２を水平状態とした第一板状体１に対して鈍角の展開状態となるまで展開した場合には、第二板状体２は第一板状体１に対して傾斜起立状態に保持され、よって、第二板状体２の重合内面部２ｂが背景となり、立体３を引き立てる機能を発揮し得ることになるなど、非常に体裁の良い使用状態が得られる。
【００１８】
ところで、本考案は、架設部材４が第一板状体１及び第二板状体２夫々の重合内面部１ｂ，２ｂ同士間にして展開した際に起立状態となる立体３の背面側部位に設けられている。
【００１９】
仮に、架設部材４が立体３の脇などに設けられていた場合、この架設部材４が目に付き、体裁が悪くなってしまうが、この点、本考案は、前述した構成から、架設部材４が立体３に隠れて見えない若しくは可及的に見えにくい位置に設けられているから、立体３がそれだけ強調され、この点においても非常に体裁が良い使用状態が得られ、商品価値が高まる。
【実施例】
【００２０】
本考案の具体的な実施例について図面に基づいて説明する。
【００２１】
本実施例は、対向する第一板状体１及び第二板状体２の内側縁部１ａ，２ａ同士が連設されて該第一板状体１及び該第二板状体２同士が折り畳み重合可能及び展開可能に構成された見開き構造体である。尚、本実施例では、見開き構造体として二つ折りタイプのものを採用したが、これに限られるものではなく、三枚の板状体が縦に連設されて三つ折り重合可能及び展開可能に構成された三つ折りタイプ（例えば電報用台紙）などでも良いなど、本実施例の特性を発揮する構成であれば適宜採用し得るものである。
【００２２】
本実施例では、第一板状体１及び第二板状体２をいずれも紙製の方形片としており、図１，２に図示したよう二つ折りの方形状（長方形状）に形成している。尚、第一板状体１及び第二板状体２は紙製に限らず、プラスチックや金属や木材などの材料で構成されても良い。
【００２３】
具体的には、長方形状の材料薄片５の長さ方向中央位置に横折れ線部５’が形成されており、この横折れ線部５’は第一板状体１及び第二板状体２の内側縁部１ａ，２ａ同士を連設した部位である。
【００２４】
この横折れ線部５’は、プレス加工機を用いて折り癖を付けるように加工して構成される。
【００２５】
従って、材料薄片５は横折れ線部５’をもとに２つ折りにすることができる。
【００２６】
また、第一板状体１の重合内面部１ａには後述する薄片７の端部をスライド自在に挿入して係止し得る帯状の薄片係止部６が設けられており、この薄片係止部６は透明な合成樹脂製の部材（フィルム）で構成されている。
【００２７】
尚、本実施例では、一つの材料薄片５に横折れ線部５’を設けて第一板状体１と第二板状体２を連設状態に設けた構造としているが、この第一板状体１と第二板状体２夫々を別の材料薄片同士を連設した構造としても良い。
【００２８】
また、本実施例は、第一板状体１と第二板状体２とには、可動板としての第二板状体２を固定板としての第一板状体１に対して折り畳み重合した際には薄い倒伏状態となり、第二板状体２を第一板状体１に対して展開した際には起立状態となる立体３が跨って設けられている。
【００２９】
本実施例では、第一板状体１及び第二板状体２夫々の重合内面部１ｂ，２ｂには、該第一板状体１及び該第二板状体２の折り畳み重合及び展開にともなって折り畳み重合及び展開する薄片７が配され、この薄片７を切り抜いて立体３が起き上がるように構成されている。
【００３０】
具体的には、薄片７は、図１，３に図示したように適宜な紙製の部材で形成した長方形状体であり、この薄片７の長さ方向中央位置に横折れ線部７’が形成され、この横折れ線部７’を境界に一方の面７ａが第一板状体１に重合状態に配され、他方の面７ｂが第二板状体２に重合状態に配される。
【００３１】
また、この薄片の他方の面７ｂは第二板状体２に止着され、一方の面７ａは第一板状体１に設けられた薄片係止部６にスライド自在に挿入されて係止されている。
【００３２】
また、薄片７における横折れ線７’を跨いだ状態で双方の面７ａ，７ｂに連続した所定の図形（家と木）が切り込み形成され、この図形の一端は一方の面７ａに連設され、他端は他方の面７ｂに連設されている。
【００３３】
従って、折り畳み重合状態の第二板状体２を横折れ線５’に沿って展開した際、この横折れ線５’にまたがる状態の立体３が突出状態で現出することになり（図１参照）、第一板状体１及び第二板状体２の折り畳み重合にともなって立体３は重合内面部１ｂ，２ｂに添設する倒伏状態となり、展開にともなって立体３が重合内面部１ｂ，２ｂから離脱して起立状態となる。また、立体３の両端部や所定箇所も折れ線部を形成して立体３の起き上がりが良好に行なわれるように構成されている。
【００３４】
尚、立体３のデザインや構造は前述した構成に限らないのは勿論である。
【００３５】
また、本実施例は、第一板状体１及び第二板状体２夫々の重合内面部１ｂ，２ｂ同士間にして展開した際に立ち上がる立体３の背面側部位に、該第一板状体１及び該第二板状体２同士間に架設状態となる架設部材４が設けられ、この架設部材４を介して第一板状体１及び第二板状体２同士は両者のなす角が鈍角の展開状態で保持されるように構成されている。
【００３６】
具体的には、架設部材４は、図３〜５に図示したように適宜な可撓性を有する透明な合成樹脂製の部材（フィルム）で形成した帯状体であり、一端部が第一板状体１の重合内面部１ｂに接着され、他端部が第二板状体２の重合内面部２ｂに接着されている。
【００３７】
本実施例では、この架設部材４を介して第一板状体１及び第二板状体２同士は１０８度の展開状態で保持されるように構成されている（図５参照）。尚、本考案者は約１０５度〜約１１５度の展開状態で保持されることが望ましい事を確認している。
【００３８】
従って、架設部材４は透明であるため目立つことなく見えにくく、しかも、立体３の背面側部位に設けられるため、この点においても見えにくくて立体３の美感を害することが無い。
【００３９】
尚、架設部材４は線状の部材（例えばテグスなど）でも良いなど、強度（耐破断性能）があって目立たない素材のものであれば適宜採用し得るものであるが、製造面（組み立て性）や強度面（板状体への接着性）を考慮すると本実施例の帯状の合成樹脂製フィルムが最適と考える。
【００４０】
本実施例は上述のよう構成したから、第一板状体１及び第二板状体２同士を折り畳み重合状態から展開した際、該第一板状体１及び該第二板状体２の重合内面部同士間で立体３が起立状態となり、この第一板状体１及び第二板状体２同士は、該第一板状体１及び該第二板状体２同士間に架設状態となる架設部材４により鈍角（１０８度）の展開状態で保持される。
【００４１】
よって、本実施例によれば、第二板状体２を水平状態とした第一板状体１に対して鈍角の展開状態となるまで展開した場合には、第二板状体２は第一板状体１に対して傾斜起立状態に保持され、よって、第二板状体２の重合内面部２ｂが背景となり、立体３を引き立てる機能を発揮し得ることになるなど、非常に体裁の良い使用状態が得られる。
【００４２】
また、本実施例は、架設部材４が第一板状体１及び第二板状体２夫々の重合内面部１ｂ，２ｂ同士間にして展開した際に起立状態となる立体３の背面側部位に設けられている。
【００４３】
仮に、架設部材４が立体３の脇などに設けられていた場合、この架設部材４が目に付き、体裁が悪くなってしまうが、この点、本実施例は、前述した構成から、架設部材４が立体３に隠れて見えない若しくは可及的に見えにくい位置に設けられているから、立体３がそれだけ強調され、この点においても非常に体裁が良い使用状態が得られ、商品価値が高まる。
【００４４】
また、本実施例は、架設部材４は透明な合成樹脂製であるから、架設部材４は目立たず、この点においても非常に体裁の良い使用状態が得られることになる。
【００４５】
また、本実施例は、架設部材４は可撓性を有する部材であり、一端部が第一板状体１に設けられ、他端部が第二板状体２に設けられているから、第一板状体１と第二板状体２との折り畳みに追従して架設部材４も折り畳まれることになり、その都度、架設部材４を取り外したりする必要が無く便利である。
【００４６】
また、本実施例は、第一板状体１及び第二板状体２同士は約１０５度〜約１１５度の展開状態で保持されるように構成されているから、体裁の良い使用状態が得られることになる。
【００４７】
また、本実施例は、第一板状体１及び第二板状体２夫々の重合内面部１ｂ，２ｂには薄片７が重合され、立体３は薄片７を切り抜いて設けられたものであり、第一板状体１及び第二板状体２の折り畳み重合にともなって立体３は重合内面部１ｂ，２ｂに添設する倒伏状態となり、展開にともなって立体３が重合内面部１ｂ，２ｂから離脱して起立状態となるように構成されているから、簡易構造故にコスト安にして量産性に秀れることになる。
【００４８】
また、本実施例は、第一板状体１及び第二板状体２は紙製の方形片であるから、この点においてもコスト安にして量産性に秀れることになる。
【００４９】
尚、本考案は、本実施例に限られるものではなく、各構成要件の具体的構成は適宜設計し得るものである。
【符号の説明】
【００５０】
１  第一板状体
１ａ  内側縁部
１ｂ  重合内面部
２  第二板状体
２ａ  内側縁部
２ｂ  重合内面部
３  立体
４  架設部材
７  薄片
【図１】
0003203286.tif 000003
【図２】
0003203286.tif 000004
【図３】
0003203286.tif 000005
【図４】
0003203286.tif 000006
【図５】
0003203286.tif 000007